(57)【要約】【課題】相手端末との通話で機械相手の話を回避でき、簡単な操作で留守モードの相手端末に自分の意図を伝えることのできるＩＰ電話機を提供することを目的にする。【解決手段】留守モード設定中は、相手端末からの着信を相手端末に通知するように指示すると共に相手端末における選択データを受信したときに受信した選択データを着信履歴記憶部１１５に書き込み、通常モード設定中は、相手端末が留守モードであることの通知を受けたとき相手端末の留守メッセージの表示を表示部１０２に指示すると共に表示部１０２の表示に基いて選択した留守メッセージを相手端末に通知するように指示することとしたものであり、留守モードの自端末に着信したとき、発呼者の端末（相手端末）に複数の留守メッセージを表示させることができ、発呼者は自分の意図に合うものを選択できるという効果を有する。【選択図】図１
2005260417.tif 000002
【特許請求の範囲】
【請求項１】
インターネットやＬＡＮなどのネットワークと接続するためのネットワーク接続部と、留守メッセージを記憶している留守メッセージ記憶部と、通常の電話機の呼制御機能を有すると共に留守モード設定中の着信時に着信したことを相手端末に伝える呼制御部と、留守メッセージを表示するための表示部と、電話番号等のデータを入力する入力部と、データを送受信するためのプロトコル処理を行うデータ送受信プロトコル処理部と、全体を制御する制御部とを有するＩＰ電話機であって、
前記制御部は、留守モード設定中は、相手端末からの着信があったとき着信があったことを相手端末に通知するように前記データ送受信プロトコル処理部に指示すると共に相手端末における選択データを受信したときに受信した前記選択データを着信履歴記憶部に書き込み、また、通常モード設定中の発呼動作においては、相手端末が留守モードであることの通知を受けたとき相手端末の留守メッセージの表示を前記表示部に指示すると共に前記表示部の表示に基いて選択した留守メッセージを相手端末に通知するように送受信データプロトコル処理部に指示することを特徴とするＩＰ電話機。
【請求項２】
前記留守メッセージ記憶部は、前記留守メッセージを複数のグループに分けて記憶すると共に前記複数のグループを複数の電話番号に対応付けて記憶することを特徴とする請求項１に記載のＩＰ電話機。
【請求項３】
前記複数のグループの電話番号に対応して携帯電話機の電話番号等の外出先の電話番号の公開・非公開を記憶する電話番号記憶部を備え、前記制御部は、留守モード中は、前記公開に対応する電話番号から着信があったと判定したときには前記データ送受信プロトコル処理部を介して前記外出先の電話番号を相手端末へ送信することを特徴とする請求項１または請求項２に記載のＩＰ電話機。
【請求項４】
前記制御部は、留守モードにおいて相手端末に送信する前記留守メッセージを編集することができることを特徴とする請求項１乃至３のいずれか１に記載のＩＰ電話機。
【請求項５】
前記制御部は、前記ネットワーク接続部を介して、サーバに格納されている種々の留守メッセージを前記留守メッセージ記憶部にダウンロードできることを特徴とする請求項１乃至４のいずれか１に記載のＩＰ電話機。
【請求項６】
前記入力部は、手書きの文字や図形を入力することが可能であることを特徴とする請求項１乃至５のいずれか１に記載のＩＰ電話機。
【請求項７】
前記制御部は、前記留守メッセージ記憶部に、入力した前記手書きの文字や図形を記憶させることを特徴とする請求項６に記載のＩＰ電話機。
【発明の詳細な説明】
【技術分野】
【０００１】
本発明は、留守番電話機能付きのＩＰ電話機に関するものである。
【背景技術】
【０００２】
近年、ＩＰ電話機は広く普及し、最近では、留守番電話機能付のＩＰ電話機も出現している。この留守番電話機能を用いれば、電話をかけた相手先（着呼者）が留守の場合（つまり相手端末が留守モードの場合）、発呼者は音声メッセージを着呼者の端末に残すことができ、これにより、着呼者の端末では、その端末に残された音声メッセージを帰宅時に再生して、要件が何であったかを知ることができる。また、最近では、留守中の電話着信時に、発呼者の端末から着呼者の端末に電話番号を送出させ、これを記憶することで、留守モード解除時に簡単な操作で留守中にかかってきた電話に対して、折り返し、相手に発呼することができるＩＰ電話機も発明されている（例えば、特許文献１参照）。
【特許文献１】特開平５−６３７９１号公報
【発明の開示】
【発明が解決しようとする課題】
【０００３】
しかし、従来の留守番機能付きＩＰ電話機では、「機械相手に話をする」ということになってしまい、そのことに心理的抵抗感を感じる人もいて、実際に音声メッセージを残さずに電話を切ってしまう場合も多い。また、着呼者の端末として、特定の人にだけ別の留守メッセージ（例えば、ごく親しい人にのみ出先の電話番号を教えるなどのメッセージ）を用意することも可能にしたＩＰ電話機もあるが、操作が複雑であり、ほとんど使われていないのが実情である。
【０００４】
このＩＰ電話機では、相手端末との通話において機械相手の話を回避することができ、簡単な操作で留守モードの相手端末に自分の意図を伝えることできることが要求されている。
【０００５】
本発明は、この要求を満たすため、相手端末との通話において機械相手の話を回避することができ、簡単な操作で留守モードの相手端末に自分の意図を伝えることのできるＩＰ電話機を提供することを目的にする。
【課題を解決するための手段】
【０００６】
上記課題を解決するために本発明のＩＰ電話機は、インターネットやＬＡＮなどのネットワークと接続するためのネットワーク接続部と、留守メッセージを記憶している留守メッセージ記憶部と、通常の電話機の呼制御機能を有すると共に留守モード設定中の着信時に着信したことを相手端末に伝える呼制御部と、留守メッセージを表示するための表示部と、電話番号等のデータを入力する入力部と、データを送受信するためのプロトコル処理を行うデータ送受信プロトコル処理部と、全体を制御する制御部とを有するＩＰ電話機であって、制御部は、留守モード設定中は、相手端末からの着信があったとき着信があったことを相手端末に通知するようにデータ送受信プロトコル処理部に指示すると共に相手端末における選択データを受信したときに受信した選択データを着信履歴記憶部に書き込み、また、通常モード設定中の発呼動作においては、相手端末が留守モードであることの通知を受けたとき相手端末の留守メッセージの表示を表示部に指示すると共に表示部の表示に基いて選択した留守メッセージを相手端末に通知するようにデータ送受信プロトコル処理部に指示する構成を備えている。
【０００７】
これにより、相手端末との通話において機械相手の話を回避することができ、簡単な操
作で留守モードの相手端末に自分の意図を伝えることができるＩＰ電話機が得られる。
【発明の効果】
【０００８】
本発明のＩＰ電話機は、留守モード設定中は、相手端末からの着信があったとき着信があったことを相手端末に通知するようにデータ送受信プロトコル処理部に指示すると共に相手端末における選択データを受信したときに受信した選択データを着信履歴記憶部に書き込み、また、通常モード設定中の発呼動作においては、相手端末が留守モードであることの通知を受けたとき相手端末の留守メッセージの表示を表示部に指示すると共に表示部の表示に基いて選択した留守メッセージを相手端末に通知するようにデータ送受信プロトコル処理部に指示することにより、留守モードの自端末に着信したとき、データ送受信プロトコル処理部とネットワーク接続部を介して、発呼者の端末（相手端末）に複数の留守メッセージを表示させることができるので、発呼者は複数の留守メッセージの中から自分の意図に合うものを選択して着呼者に伝えることができ、非常に簡単な操作で発呼者（相手端末）は留守モードの自端末に発呼者の意図を伝えることができるという有利な効果が得られる。
【０００９】
さらに、留守メッセージ記憶部は、留守メッセージを複数のグループに分けて記憶すると共に複数のグループを複数の電話番号に対応付けて記憶することにより、表示する留守メッセージを電話番号ごとに変えることができるので、出先の電話番号を知らせたいような親しい人には出先の電話番号を留守メッセージに含めるようにすることができ、例えば留守メッセージとして「一般用」と「親しい人用」のメッセージを記憶しておき、電話番号帳に「親しい人」として登録した電話番号から電話がかかってきた場合、「親しい人用」のメッセージを表示することができ、相手とのコミュニケーションの円滑化を図ることができるという有利な効果が得られる。
【００１０】
さらに、複数のグループの電話番号に対応して携帯電話機の電話番号等の外出先の電話番号の公開・非公開を記憶する電話番号記憶部を備え、制御部は、留守モード中は、公開に対応する電話番号から着信があったと判定したときにはデータ送受信プロトコル処理部を介して外出先の電話番号を相手端末へ送信することにより、例えば親しい人として登録された電話番号からかかってきたときのみ、外出先電話番号記憶部に記憶した外出先の電話番号（または携帯電話機の電話番号）を留守メッセージの一部として相手端末に送信し、相手端末は、送信されてきた外出先の電話番号を自動的に取り込み、簡単な操作でその外出先の電話番号に発呼できるという有利な効果が得られる。
【００１１】
さらに、制御部は、留守モードにおいて相手端末に送信する留守メッセージを編集することができることにより、相手端末に対して自由に留守メッセージを設定することができるという有利な効果が得られる。
【００１２】
さらに、制御部は、ネットワーク接続部を介して、サーバに格納されている種々の留守メッセージを留守メッセージ記憶部にダウンロードできることにより、種々の留守メッセージを外部から取得することができるので、留守メッセージの表示を好みの背景や文字フォントに変えたり、留守メッセージの文字列を変更することができるという有利な効果が得られる。
【００１３】
さらに、入力部は、手書きの文字や図形を入力することが可能であることにより、ユーザは表現力豊かな自分オリジナルのメッセージを作成することができるという有利な効果が得られる。
【００１４】
さらに、制御部は、留守メッセージ記憶部に、入力した手書きの文字や図形を記憶させることにより、相手端末が留守モードの端末である場合に、簡単なメッセージを手書きの
文字や図形で残すことができるという有利な効果が得られる。
【発明を実施するための最良の形態】
【００１５】
本発明は、相手端末との通話において機械相手の話を回避し、簡単な操作で留守モードの相手端末に自分の意図を伝えるという目的を、相手端末が発呼者である場合には相手端末において通知データを選択することができるように相手端末の表示部に選択事項を表示させ、また相手端末が着呼者つまり留守モードのＩＰ電話機である場合には相手端末の留守メッセージを自端末の表示部に表示することにより実現した。
【００１６】
上記課題を解決するためになされた第１の発明は、インターネットやＬＡＮなどのネットワークと接続するためのネットワーク接続部と、留守メッセージを記憶している留守メッセージ記憶部と、通常の電話機の呼制御機能を有すると共に留守モード設定中の着信時に着信したことを相手端末に伝える呼制御部と、留守メッセージを表示するための表示部と、電話番号等のデータを入力する入力部と、データを送受信するためのプロトコル処理を行うデータ送受信プロトコル処理部と、全体を制御する制御部とを有するＩＰ電話機であって、制御部は、留守モード設定中は、相手端末からの着信があったとき着信があったことを相手端末に通知するようにデータ送受信プロトコル処理部に指示すると共に相手端末における選択データを受信したときに受信した選択データを着信履歴記憶部に書き込み、また、通常モード設定中の発呼動作においては、相手端末が留守モードであることの通知を受けたとき相手端末の留守メッセージの表示を表示部に指示すると共に表示部の表示に基いて選択した留守メッセージを相手端末に通知するようにデータ送受信プロトコル処理部に指示することとしたものであり、留守モードの自端末に着信したとき、データ送受信プロトコル処理部とネットワーク接続部を介して、発呼者の端末（相手端末）に複数の留守メッセージを表示させることができるので、発呼者は複数の留守メッセージの中から自分の意図に合うものを選択して着呼者に伝えることができ、非常に簡単な操作で発呼者（相手端末）は留守モードの自端末に発呼者の意図を伝えることができるという作用・効果を有する。
【００１７】
上記課題を解決するためになされた第２の発明は、留守メッセージ記憶部は、留守メッセージを複数のグループに分けて記憶すると共に複数のグループを複数の電話番号に対応付けて記憶することとしたものであり、表示する留守メッセージを電話番号ごとに変えることができるので、出先の電話番号を知らせたいような親しい人には出先の電話番号を留守メッセージに含めるようにすることができ、例えば留守メッセージとして「一般用」と「親しい人用」のメッセージを記憶しておき、電話番号帳に「親しい人」として登録した電話番号から電話がかかってきた場合、「親しい人用」のメッセージを表示することができ、相手とのコミュニケーションの円滑化を図ることができるという作用・効果を有する。
【００１８】
上記課題を解決するためになされた第３の発明は、複数のグループの電話番号に対応して携帯電話機の電話番号等の外出先の電話番号の公開・非公開を記憶する電話番号記憶部を備え、制御部は、留守モード中は、公開に対応する電話番号から着信があったと判定したときにはデータ送受信プロトコル処理部を介して外出先の電話番号を相手端末へ送信することとしたものであり、例えば親しい人として登録された電話番号からかかってきたときのみ、外出先電話番号記憶部に記憶した外出先の電話番号（または携帯電話機の電話番号）を留守メッセージの一部として相手端末に送信し、相手端末は、送信されてきた外出先の電話番号を自動的に取り込み、簡単な操作でその外出先の電話番号に発呼できるという作用・効果を有する。
【００１９】
上記課題を解決するためになされた第４の発明は、制御部は、留守モードにおいて相手端末に送信する留守メッセージを編集することができることとしたものであり、相手端末
に対して自由に留守メッセージを設定することができるという作用・効果を有する。
【００２０】
上記課題を解決するためになされた第５の発明は、制御部は、ネットワーク接続部を介して、サーバに格納されている種々の留守メッセージを留守メッセージ記憶部にダウンロードできることとしたものであり、種々の留守メッセージを外部から取得することができるので、留守メッセージの表示を好みの背景や文字フォントに変えたり、留守メッセージの文字列を変更することができるという作用・効果を有する。
【００２１】
上記課題を解決するためになされた第６の発明は、入力部は、手書きの文字や図形を入力することが可能であることとしたものであり、ユーザは表現力豊かな自分オリジナルのメッセージを作成することができるという作用・効果を有する。
【００２２】
上記課題を解決するためになされた第７の発明は、制御部は、留守メッセージ記憶部に、入力した手書きの文字や図形を記憶させることとしたものであり、相手端末が留守モードの端末である場合に、簡単なメッセージを手書きの文字や図形で残すことができるという作用・効果を有する。
【００２３】
（実施の形態１）
図１は、本発明の実施の形態１によるＩＰ電話機を示すブロック図である。
【００２４】
図１において、１０１は入力部としてのキーボード、１０２は文字や図形を表示する表示部としてのＬＣＤ、１０４は音声入力部であるマイク、１０５は音声出力部であるスピーカ、１０６は入力された音声データをエンコードして音声パケット化すると共に音声パケットを音声データへデコードする音声コーデック部、１０７は既定の留守メッセージを記憶した留守メッセージ記憶部、１０８は電話の発呼、着呼、通話などの動作を制御する呼制御部、１０９はＬＡＮやインターネットに接続するためのネットワーク接続部、１１０はデータを送受信するためのプロトコル処理を行なうデータ送受信プロトコル処理部、１１１は現在のＩＰ電話機（端末）のモード（留守モードか通常モードか）を記憶するモード記憶部、１１２は電話番号と名前と「留守時に着信したときに外出先の電話番号を公開するか否か」を対応付けて記憶した電話番号記憶部、１１３は留守モード時に着信した場合、相手（発呼者）の声を記憶するか、あるいは、発呼者に対して要件の発話を促すための音声ガイダンスを記憶する音声記憶部、１１４は親しい人にだけ外出先の電話番号を知らせるために、外出先の電話番号を記憶する外出先電話番号記憶部、１１５は留守モード時の着信履歴として発呼者の電話番号と「発呼者が留守メッセージを見て選択した応答」とを対応付けて記憶する着信履歴記憶部、１１６は全体の制御を行なう制御部である。
【００２５】
以上のように構成されたＩＰ電話機について、その動作を、図２〜図７を用いて説明する。図２は電話番号記憶部１１２の内容を示す記憶データ図であり、図３は図１のＩＰ電話機の留守モードにおける着呼動作を示すフローチャート、図４は相手端末の表示部１０２における表示内容を示す表示画面図、図５は自端末の表示部１０２における表示内容を示す表示画面図、図６は図１のＩＰ電話機の発呼動作を示すフローチャート、図７は発呼者の端末（発呼者端末）としての自端末の表示部１０２における表示内容を示す表示画面図である。なお、動作等の説明においては、自端末と相手端末とは同じ構成であるとする。
【００２６】
まず、ユーザは、このＩＰ電話機を効率的に運用するために、よくかける相手先の電話番号を登録する。このとき、登録する相手が親しい人かどうか、つまり、留守中に電話がかかってきた場合に、外出先の電話番号を公開するかどうかもあわせて登録できるようになっている。図２に、電話番号記憶部１１２の内容を示す。図２において、○印は外出先の電話番号を公開する場合、×印は外出先の電話番号を公開しない場合を示す。
【００２７】
次に、上で述べたように、頻繁に電話をかける相手の電話番号を登録した状態で、ユーザが留守モードを設定する場合の動作を説明する。
【００２８】
まず、ユーザが留守モードをキーボード１０１より指示する。すると、制御部１１６は、ＬＣＤ１０２に、外出先電話番号を入力するように留守メッセージを表示させる。すると、ユーザは、外出先の電話番号あるいは携帯電話機の電話番号をキーボード１０１より入力する。制御部１１６は、これをキーボード１０１から受け取り（ここでは、０７０−５６３４−１１１１）、外出先電話番号記憶部１１４に書き込み、さらにモード記憶部１１１に「モード＝留守」を書き込む。
【００２９】
次に、留守モード時の着信動作について図３のフローチャートに従って説明する。
【００３０】
まず、制御部１１６は、ユーザがキーボード１０１から「留守モードの解除」を指定しているか否かを判定する（Ｓ１０１）。
【００３１】
ステップＳ１０１において指定していないと判定した場合、制御部１１６は、呼制御部１０８に対して着信が発生しているか否かを問い合わせる（Ｓ１０２）。すると、呼制御部１０８は、呼の状態を判定し、着信が発生しているか否かを返答する。ステップＳ１０１において指定していると判定した場合については後に説明する。
【００３２】
ステップＳ１０２において着信が発生していないと判定した場合はステップＳ１０１へ戻るが、着信が発生していると判定した場合は制御部１１６は、呼制御部１０８に発呼者番号を問い合わせる。ここでは、発呼者番号を０５０−１１１１−２２２２（小野製材）とする。次に、制御部１１６は、呼制御部１０８から通知された上記発呼者番号と電話番号記憶部１１２の格納番号とを比較し、親しい人かどうか、すなわち、「外出先電話番号を表示する相手かどうか」を判定する（Ｓ１０３）。
【００３３】
ステップＳ１０３において親しい人でないと判定した場合は、制御部１１６は、着呼側の端末のステータス、すなわち、「留守モードかどうか」と「外出先の電話番号を公開するかどうか」を発呼側の端末に通知するため、データ送受信プロトコル処理部１１０に対して、「モード＝留守、外出先電話番号＝非通知」を送信するように要求する（Ｓ１０５）。すると、データ送受信プロトコル処理部１１０は、ネットワーク接続部１０９を介して「モード＝留守、外出先電話番号＝非通知」を発呼側端末に送信する。
【００３４】
ステップＳ１０３において親しい人と判定した場合は外出先電話番号記憶部１１４から外出先電話番号を取り出し（Ｓ１０４）、制御部１１６は、着呼側の端末のステータス、すなわち、「留守モードかどうか」と「外出先の電話番号を公開するかどうか」を発呼側の端末に通知するため、データ送受信プロトコル処理部１１０に対して、「モード＝留守、外出先電話番号＝通知」を送信するように要求する（Ｓ１０５）。すると、データ送受信プロトコル処理部１１０は、ネットワーク接続部１０９を介して「モード＝留守、外出先電話番号＝通知」を発呼側端末に送信する。
【００３５】
ここで、発呼側端末には、ＬＣＤ１０２に留守メッセージが表示される。発呼者は、ＬＣＤ１０２の表示を見ることによって、発呼先が留守であることを知り、さらに、表示されている留守メッセージから自分の意図に合うものを選択する。すると、発呼側端末は、発呼者が選択した留守メッセージの番号を着呼側端末に送信する。図４に、このときの発呼側端末のＬＣＤ１０２における画面表示を示す。ここでは、発呼者が１番（＃１）を選んだこととして説明を続ける。
【００３６】
データ送受信プロトコル処理部１１０は、発呼側端末から発呼者が選択した応答（ここでは＃１）をネットワーク接続部１０９を介して受け取る。そして、その旨を制御部１１６に通知し、この通知を制御部１１６は受信する（Ｓ１０６）。
【００３７】
制御部１１６は、応答として「録音」が指定されているか否かを判定し（Ｓ１０７）、指定されていないと判定した場合は、応答として受け取った番号（ここでは＃１）を着信履歴記憶部１１５に発呼者番号や現在の時刻と対応付けて書き込む（Ｓ１０８）。その後ステップＳ１０１へ戻る。ステップＳ１０７において指定されていると判定した場合は、制御部１１６は、呼制御部１０８に「呼接続」を要求する（Ｓ１０９）。すると、呼制御部１０８は呼を接続する。さらに、制御部１１６は、音声記憶部１１３を参照し、音声ガイダンスの音声データを読み出し、ネットワーク接続部１０９を介して、データ送受信プロトコル処理部１１０に発呼側へ上記音声ガイダンスを送信するよう指示する。すると、データ送受信プロトコル処理部１１０は指定されたデータをネットワーク接続部１０９を介して発呼側へ送信する。発呼者が、発呼側端末のスピーカ１０５より音声ガイダンスを聞き、この音声ガイダンスに従って、音声メッセージをマイク１０４に向かって発話する。発話した内容は発呼側端末の音声コーデック部１０６で音声データ化され、着呼側端末のネットワーク接続部１０９に送られてくる。データ送受信プロトコル処理部１１０は、以降、ネットワーク接続部１０９から受け取った音声データを制御部１１６に渡す。すると、制御部１１６は、受け取った音声データを音声記憶部１１３に書き込む（Ｓ１１０）。発呼者が電話を切ると、発呼側端末から「切断」を知らせるデータが着呼側端末のネットワーク接続部１０９に送られる。すると、データ送受信プロトコル処理部１１０は、制御部１１６にその旨を伝える。すると、制御部１１６は、録音を停止する（Ｓ１１１）。すなわち、音声記憶部１１３への書き込みを停止し、その後ステップＳ１０１へ戻る。ユーザによって留守モードの解除が指定され、ステップＳ１０１において留守モードの解除が指定されていると判定した場合、制御部１１６は、モード記憶部１１１に「モード＝通常」を書き込む（Ｓ１１２）。以降、本端末（着呼側端末）は通常動作モードとなる。図５はこのときの着呼側端末のＬＣＤ１０２の表示画面を示す。図５では、「前へ＃４」または「次へ＃６」を入力することにより上段の表示（ここでは着信履歴２の０５０−１１１１−２２２２、小野製材が表示されている）が変化する。このようにして着呼側のユーザは留守中にいつ誰から電話があったか、そして、その相手が「電話して欲しい」ことを知ることができる。
【００３８】
次に、図１のＩＰ電話機の発呼側端末としての処理の流れを図６のフローチャートに従って説明する。ここでは、発呼者の電話番号が０５０−９８７６−４３２１（実家）（図２参照）であるものとして説明する。
【００３９】
まず、ユーザが相手の電話番号をキーボード１０１より入力し、発呼を指示する（Ｓ１２１）。ここでは０５０−４５４５−６６６６であったとする。すると、制御部１１６は、キーボード１０１より入力された電話番号を呼制御部１０８に渡し、実際に発呼が行なわれる。次に、制御部１１６は、データ送受信プロトコル処理部１１０とネットワーク接続部１０９を介して、着呼側の端末（発呼先の端末）よりステータスを受信する（Ｓ１２２）。ここでは、着呼側の端末が留守モードであり、発呼者が図２に示すように「親しい人」（外出先表示＝○）として着呼側の端末（相手端末）に登録されているので、「モード＝留守、外出先＝０７０−５４６３−１１１１」が通知される。すなわち、ネットワーク接続部１０９を介してデータ送受信プロトコル処理部１１０が「モード＝留守、外出先＝０７０−５４６３−１１１１」を示すデータを受け取る。すると、その旨が制御部１１６に通知される。次に、制御部１１６は、受け取った着呼側のステータスが留守モードかどうかを判定する（Ｓ１２３）。留守モードでなければ通常の発呼動作に入る。ステップＳ１２３において留守モードであると判定したとき制御部１１６は、ステップＳ１２２で受け取ったステータスに外出先電話番号が設定されているか否かを判定する（Ｓ１２４）
。
【００４０】
ステップＳ１２４においてステータスに外出先電話番号が設定されていないと判定した場合、制御部１１６は、留守メッセージ記憶部１０７を参照し、メッセージＡ（親しくない人向けメッセージ）を表示する。次に、制御部１１６は、キーボード１０１からユーザの応答を受け取る（Ｓ１２６）。ステップＳ１２４においてステータスに外出先電話番号が設定されていると判定した場合、制御部１１６は、留守メッセージ記憶部１０７を参照し、メッセージＢ（親しい人向けメッセージ）を表示する（Ｓ１２７）。図７に、このときのＬＣＤ１０２の表示画面を示す。次に、制御部１１６は、キーボード１０１よりユーザからの応答を受け取る（Ｓ１２８）。ここでは、４番（＃４）が選択されたものとして説明を続ける。このとき、制御部１１６は、キーボード１０１からの入力が「外出先への発呼か」どうかを判定する（Ｓ１２９）。すなわち、＃４をユーザが選択した場合は、外出先への発呼が指示されたとして制御部１１６は、ステータスとして通知された外出先電話番号（ここでは、０７０−５４６３−１１１１）を呼制御部１０８に渡し、発呼を要求する（Ｓ１３０）。このように、着呼先からみて発呼者が「親しい人」であれば、外出先の電話番号を公開し、簡単な操作で（再び、外出先の電話番号を入力することなく）外出先へ自動的に発呼を行なうことができる。その後ステップ１２２へ戻る。
【００４１】
ステップＳ１２９において発呼者が「外出先への発呼」以外の選択肢を選択した場合には、制御部１１６は、ユーザが選択した番号（＃１〜＃３）をデータ送受信プロトコル処理部１１０に渡し、ネットワーク接続部１０９を介して着呼側端末に送信するよう要求する（Ｓ１３１）。すると、データ送受信プロトコル処理部１１０は、ネットワーク接続部１０９を介して指定されたデータを送信する。次に、制御部１１６は、ユーザの選択が「録音」（＝＃３）かどうかを判定する（Ｓ１３２）。ステップＳ１３２において録音が指示されたと判定した場合は、制御部１１６は、呼制御部１０８に呼を接続するように要求する（Ｓ１３３）。以降、マイク１０４から取り込まれた音声は音声コーデック部１０６によってデータ化され、データ送受信プロトコル処理部１１０によって、ネットワーク接続部１０９を介して着呼側端末に送られ、着呼側端末に蓄積（＝録音）される。一方、ネットワーク接続部１０９を介して届いた音声ガイダンスは音声コーデック部１０６によって音声に戻され、スピーカ１０５に出力される。ユーザは、着呼側端末に録音されている音声ガイダンスを聞き、ユーザが実際に発話する（Ｓ１３４）。マイク１０４から取り込まれた音声は音声コーデック部１０６によってデータ化され、データ送受信プロトコル処理部１１０によって、ネットワーク接続部１０９を介して着呼側端末に送られ、着呼側端末に蓄積（＝録音）される。ユーザが発話を終わり、電話を切ると、制御部１１６は呼制御部１０８に呼切断を要求する（Ｓ１３５）。
【００４２】
以上説明したように、発呼した相手が留守モードであった場合、自分の意図したメッセージを簡単な操作で発呼先の端末に残すことができ、また、着呼側の相手にとって発呼者が「親しい人」として登録されていれば、外出先の電話番号を発呼者が知ることができ、簡単な操作で外出先に発呼を行なうことができる。
【００４３】
以上のように本実施の形態によれば、インターネットやＬＡＮなどのネットワークと接続するためのネットワーク接続部１０９と、留守メッセージを記憶している留守メッセージ記憶部１０７と、通常の電話機の呼制御機能を有すると共に留守モード設定中の着信時に着信したことを相手端末に伝える呼制御部１０８と、留守メッセージを表示するための表示部１０２と、電話番号等のデータを入力する入力部１０１と、データを送受信するためのプロトコル処理を行うデータ送受信プロトコル処理部１１０と、全体を制御する制御部１１６とを有するＩＰ電話機であって、制御部１１６は、留守モード設定中は、相手端末からの着信があったとき着信があったことを相手端末に通知するようにデータ送受信プロトコル処理部１１０に指示すると共に相手端末における選択データを受信したときに受
信した選択データを着信履歴記憶部１１５に書き込み、また、通常モード設定中の発呼動作においては、相手端末が留守モードであることの通知を受けたとき相手端末の留守メッセージの表示を表示部１０２に指示すると共に表示部１０２の表示に基いて選択した留守メッセージを相手端末に通知するようにデータ送受信プロトコル処理部１１０に指示することにより、留守モードの自端末に着信したとき、データ送受信プロトコル処理部１１０とネットワーク接続部１０９を介して、発呼者の端末（相手端末）に複数の留守メッセージを表示させることができるので、発呼者は複数の留守メッセージの中から自分の意図に合うものを選択して着呼者に伝えることができ、非常に簡単な操作で発呼者は留守モードの相手端末に自分の意図を伝えることができる。
【００４４】
また、留守メッセージ記憶部１０７は、留守メッセージを複数のグループに分けて記憶すると共に複数のグループを複数の電話番号に対応付けて記憶することにより、表示する留守メッセージを電話番号ごとに変えることができるので、出先の電話番号を知らせたいような親しい人には出先の電話番号を留守メッセージに含めるようにすることができ、例えば留守メッセージとして「一般用」と「親しい人用」のメッセージを記憶しておき、電話番号帳に「親しい人」として登録した電話番号から電話がかかってきた場合、「親しい人用」のメッセージを表示することができ、相手とのコミュニケーションの円滑化を図ることができる。
【００４５】
さらに、複数のグループの電話番号に対応して携帯電話機の電話番号等の外出先の電話番号の公開・非公開を記憶する電話番号記憶部１１２を備え、制御部１１６は、留守モード中は、公開に対応する電話番号から着信があったと判定したときにはデータ送受信プロトコル処理部１１０を介して外出先の電話番号を相手端末へ送信することにより、例えば親しい人として登録された電話番号からかかってきたときのみ、外出先電話番号記憶部１１４に記憶した外出先の電話番号（または携帯電話機の電話番号）を留守メッセージの一部として相手端末に送信し、相手端末は、送信されてきた外出先の電話番号を自動的に取り込み、簡単な操作でその外出先の電話番号に発呼できる。
【００４６】
（実施の形態２）
図８は、本発明の実施の形態２によるＩＰ電話機を示すブロック図である。
【００４７】
図８において、キーボード１０１、マイク１０４、スピーカ１０５、音声コーデック部１０６、留守メッセージ記憶部１０７、呼制御部１０８、ネットワーク接続部１０９、データ送受信プロトコル処理部１１０、モード記憶部１１１、電話番号記憶部１１２、音声記憶部１１３、外出先電話番号記憶部１１４、着信履歴記憶部１１５、制御部１１６は図１と同様のものなので、同一符号を付し、説明は省略する。１０３はタッチペンによる入力もできる表示部としてのタッチパネルである。なお、タッチパネル１０３は入力部としての機能も有する。
【００４８】
以上のように構成されたＩＰ電話機について、その動作を、図９〜図１１を用いて説明する。図９はサーバ接続時の表示部１０３の表示を示す表示画面図であり、図１０は留守メッセージ編集中の表示部１０３の表示を示す表示画面図、図１１は図８のＩＰ電話機の着呼動作を示すフローチャートである。なお、動作等の説明においては、自端末と相手端末とは同じ構成であるとする。
【００４９】
まず、ユーザは、ＩＰ電話機の使い勝手を向上させるため、サーバに接続して留守メッセージのテンプレートをダウンロードする。図９はこのときのタッチパネル１０３の表示画面を示す。ユーザは、サーバに登録されているテンプレートを閲覧し、その中で気に入ったものをタッチパネル１０３より指定することでダウンロードし、自分の端末に取り込むことができる。すなわち、制御部１１６は、タッチパネル１０３からの入力を受け取り
、データ送受信プロトコル処理部１１０にユーザが選択したデータをサーバよりダウンロードするよう要求する。すると、データ送受信プロトコル処理部１１０は、ネットワーク接続部１０９を介して、データをダウンロードし、制御部１１６に渡す。制御部１１６は受け取ったデータを留守メッセージ記憶部１０７に書き込む。
【００５０】
次に、ユーザが留守メッセージのカスタマイズを行なう場合について説明する。サーバからダウンロードした留守メッセージに修正を加えたい場合、ユーザはキーボード１０１より留守メッセージの修正を指示する。すると、制御部１１６は、キーボード１０１より、留守メッセージの編集要求が指定されていることを検知し、タッチパネル１０３に留守メッセージの編集画面を表示する。図１０はこのときのタッチパネル１０３の表示画面を示す。ユーザは、キーボード１０１より編集すべきメッセージ番号を指定し、キーボード１０１より、文字を入力する。このようにして、ユーザは自分の好みの留守メッセージを設定することができ、使い勝手を向上させることができる。図１０は、メッセージ番号が１番の「後で電話します」を修正するための文章を作成している途中の状態を表示している。なお、ここでは、キーボード１０１からユーザがメッセージを入力する例を説明したが、タッチパネル１０３を利用して、手書きの文字や図形を入力してもよい。
【００５１】
次に、図８のＩＰ電話機の留守モード時の着信動作について、図１１のフローチャートに従って説明する。
【００５２】
まず、制御部１１６は、ユーザがキーボード１０１から「留守モードの解除」を指定しているか否かを判定する（Ｓ２０１）。
【００５３】
ステップＳ２０１において指定していないと判定した場合、制御部１１６は、呼制御部１０８に対して着信が発生しているか否かを問い合わせる（Ｓ２０２）。すると、呼制御部１０８は、呼の状態を判定し、着信が発生しているか否かを返答する。ステップＳ２０１において指定していると判定した場合については後に説明する。
【００５４】
ステップＳ２０２において着信していないと判定した場合はステップＳ２０１へ戻るが、着信していると判定した場合は制御部１１６は、着呼側の端末（自端末）のステータスすなわち「留守モードかどうか」を発呼側の端末（相手端末）に通知するため、データ送受信プロトコル処理部１１０に対して、「モード＝留守」を送信するよう要求する（Ｓ２０３）。すると、データ送受信プロトコル処理部１１０は、ネットワーク接続部１０９を介して「モード＝留守」を発呼側端末に送信する。次に、データ送受信プロトコル処理部１１０は、ネットワーク接続部１０９を介して、発呼側の端末からの「メッセージ要求」を受信する（Ｓ２０４）。すると、データ送受信プロトコル処理部１１０は、制御部１１６にその旨を通知する。ステップＳ２０４で受け取ったメッセージ要求に対し、制御部１１６は、留守メッセージ記憶部１０７の内容を読み出し、データ送受信プロトコル処理部１１０にその内容（つまり留守メッセージ）を発呼側端末に送信するよう指示する（Ｓ２０５）。すると、データ送受信プロトコル処理部１１０は、ネットワーク接続部１０９を介して、上記留守メッセージを発呼側端末に送信する。ここで、発呼側端末は着呼側端末に記憶されていた留守メッセージの内容を受け取り、タッチパネル１０３に表示する。すると、ユーザは、そのメッセージに従い、入力を行なう。発呼側の端末はユーザから入力された内容を着呼側端末に送信する。例えば、発呼側のユーザが表示された留守メッセージに対して番号を選択した場合はその番号を送信し、タッチパネルから図形や文字の入力を行なった場合はその画像データを送信する。データ送受信プロトコル処理部１１０は、ネットワーク接続部１０９を介して、発呼側端末からの応答を受け取り、その旨を制御部１１６に通知する。制御部１１６は、その通知を受信する（Ｓ２０６）。制御部１１６は、受け取った内容が「録音」を指定するものかどうかを判定する（Ｓ２０７）。
【００５５】
ステップＳ２０７において録音でないと判定した場合、制御部１１６は、応答として受け取ったデータを着信履歴記憶部１１５に発呼者番号や現在の時刻と対応付けて書き込み（Ｓ２０８）、ステップＳ２０１に戻る。ステップＳ２０７において録音であると判定した場合、制御部１１６は、呼制御部１０８に「呼接続」を要求する（Ｓ２０９）。すると、呼制御部１０８は呼を接続する。さらに、制御部１１６は、音声記憶部１１３を参照し、音声ガイダンスの音声データを読み出し、ネットワーク接続部１０９を介して、データ送受信プロトコル処理部１１０に発呼側へ送信するよう指示する。すると、データ送受信プロトコル処理部１１０は、指定されたデータをネットワーク接続部１０９を介して、発呼側へ送信する。発呼者が、発呼側端末のスピーカ１０５より音声ガイダンスを聞き、この音声ガイダンスに従って、音声メッセージをマイク１０４に向かって発話する。発話した内容は発呼側端末の音声コーデック部１０６で音声データ化され、着呼側端末のネットワーク接続部１０９に送られてくる。データ送受信プロトコル処理部１１０は、以降、ネットワーク接続部１０９から受け取った音声データを制御部１１６に渡す。すると、制御部１１６は、受け取ったデータを音声記憶部１１３に書き込む（Ｓ２１０）。発呼者が電話を切ると、発呼側端末から「切断」を知らせるデータが着呼側端末のネットワーク接続部１０９に送られる。すると、データ送受信プロトコル処理部１１０は、制御部１１６にその旨を伝える。すると、制御部１１６は、録音を停止する（Ｓ２１１）。すなわち、音声記憶部１１３への書き込みを停止する。その後、ステップＳ２０１へ戻る。
【００５６】
ユーザによって留守モードの解除が指定され、ステップＳ２０１において留守モードが解除されたと判定したときは、制御部１１６は、モード記憶部１１１に「モード＝通常」を書き込む（Ｓ２１２）。以降、本端末は通常動作モードとなる。このようにして着呼側のユーザは留守中にいつ誰から電話があったか、そして、その相手が「どうして欲しいか」を知ることができる。
【００５７】
次に、図８のＩＰ電話機の発呼側としての処理の流れを図１２、図１３を用いて説明する。図１２は図８のＩＰ電話機の発呼動作を示すフローチャートであり、図１３は留守メッセージにおける表示部１０３の表示を示す表示画面図である。なお、ここでは、発呼者の電話番号が０５０−９８７６−４３２１（実家）であるものとして説明する。
【００５８】
まず、ユーザが相手の電話番号をキーボード１０１より入力し、発呼を指示する。ここでは、０５０−１２３４−５６７８であるとする。すると、制御部１１６は、キーボード１０１より入力された電話番号を呼制御部１０８に渡し、実際に発呼が行なわれる（Ｓ２２１）。これにより、制御部１１６は、ネットワーク接続部１０９を介して、着呼側の端末よりステータスを受信する（Ｓ２２２）。ここでは、着呼側の端末が留守モードであり、「モード＝留守」が通知される。すなわち、ネットワーク接続１０９を介して、データ送受信プロトコル処理部１１０が「モード＝留守」を示すデータを受け取る。すると、その旨が制御部１１６に通知される。制御部１１６は、ステップ２２２で受け取った着呼側のステータスが留守モードかどうかを判定する（Ｓ２２３）。
【００５９】
ステップＳ２２３において留守モードであると判定した場合、制御部１１６は、データ送受信プロトコル処理部１１０に対して、着呼側端末に「メッセージ要求」を送信するよう要求する（Ｓ２２４）。すると、データ送受信プロトコル処理部１１０は、ネットワーク接続部１０９を介して、着呼側端末にメッセージ要求を送信する。着呼側端末はメッセージ要求を受信し、留守メッセージ記憶部１０７の内容を送信する。すると、データ送受信プロトコル処理部１１０は、ネットワーク接続部１０９を介して、このデータ（留守メッセージ）を受け取り、その旨を制御部１１６に通知する。制御部１１６は、データ送受信プロトコル処理部１１０から留守メッセージを受信し（Ｓ２２５）、受信した留守メッセージをタッチパネル１０３に表示する（Ｓ２２６）。次に、制御部１１６は、キーボード１０１あるいはタッチパネル１０３からユーザの応答を受け取る（Ｓ２２７）。図１３
はこのときのタッチパネル１０３の様子を示したものである。ここでは、ユーザは４番をキーボード１０１より入力し、タッチパネルを使って記入欄に手書きの文字と図形を入力している。制御部１１６は、データ送受信プロトコル処理部１１０にキーボード１０１あるいはタッチパネル１０３から受け取った入力データを着呼側端末へ送信するよう指示する（Ｓ２２８）。すると、データ送受信プロトコル処理部１１０は、指定されたデータをネットワーク接続部１０９を介して、着呼側端末に送信する。次に、制御部１１６は、ユーザの選択が「録音」（＝＃３）かどうかを判断する。
【００６０】
ステップＳ２２９において録音であると判定した場合、制御部１１６は、呼制御部１０８に呼を接続するように要求する（Ｓ２３０）。以降、マイク１０４から取り込まれた音声は音声コーデック部１０６によってデータ化され、データ送受信プロトコル処理部１１０によって、ネットワーク接続部１０９を介して着呼側端末に送られ、着呼側端末に蓄積（＝録音）される。一方、データ送受信プロトコル処理部１１０によって、ネットワーク接続部１０９を介して届いた音声ガイダンスは音声コーデック部１０６によって音声に戻され、スピーカ１０５に出力される。ユーザが実際に発話し、マイク１０４から取り込まれた音声は音声コーデック部１０６によって音声データに変換され、制御部１１６は、その音声データを、ネットワーク接続部１０９を介して着呼側端末に送信し、着呼側端末に蓄積（＝録音）する（Ｓ２３１）。ユーザが発話を終わり、電話を切ると、制御部１１６は呼制御部１０８に呼切断を要求する（Ｓ２３２）。
【００６１】
以上説明したように、発呼した相手が留守モードであった場合、自分の意図したメッセージを簡単な操作で発呼先の端末に残すことができる。また、このとき簡単な手書きの文字や図形も残すことができるので、従来の留守番電話のように、「機械に向かって発話する」ことに抵抗を持つ人にとってもあまり抵抗感を抱かせずにメッセージを残させることを可能にする。
【００６２】
以上のように本実施の形態によれば、制御部１１６は、留守モードにおいて相手端末に送信する留守メッセージを編集することができることにより、相手端末に対して自由に留守メッセージを設定することができる。
【００６３】
また、制御部１１６は、ネットワーク接続部１０９を介して、サーバに格納されている種々の留守メッセージを留守メッセージ記憶部１０７にダウンロードできることにより、種々の留守メッセージを外部から取得することができるので、留守メッセージの表示を好みの背景や文字フォントに変えたり、留守メッセージの文字列を変更することができる。
【００６４】
さらに、入力部１０３は、手書きの文字や図形を入力することが可能であることにより、ユーザは表現力豊かな自分オリジナルのメッセージを作成することができる。
【００６５】
さらに、制御部１１６は、留守メッセージ記憶部１０７に、入力した手書きの文字や図形を記憶させることにより、相手端末が留守モードの端末である場合に、簡単なメッセージを手書きの文字や図形で残すことができる。
【産業上の利用可能性】
【００６６】
本発明は、留守番電話機能付きのＩＰ電話機に関し、相手端末との通話において機械相手の話を回避することができ、簡単な操作で留守モードの相手端末に自分の意図を伝えることができる。
【図面の簡単な説明】
【００６７】
【図１】本発明の実施の形態１によるＩＰ電話機を示すブロック図
【図２】電話番号記憶部の内容を示す記憶データ図
【図３】図１のＩＰ電話機の留守モードにおける着呼動作を示すフローチャート
【図４】相手端末の表示部１０２における表示内容を示す表示画面図
【図５】自端末の表示部における表示内容を示す表示画面図
【図６】図１のＩＰ電話機の発呼動作を示すフローチャート
【図７】発呼者の端末（発呼者端末）としての自端末の表示部における表示内容を示す表示画面図
【図８】本発明の実施の形態２によるＩＰ電話機を示すブロック図
【図９】サーバ接続時の表示部の表示を示す表示画面図
【図１０】留守メッセージ編集中の表示部の表示を示す表示画面図
【図１１】図８のＩＰ電話機の着呼動作を示すフローチャート
【図１２】図８のＩＰ電話機の発呼動作を示すフローチャート
【図１３】留守メッセージにおける表示部の表示を示す表示画面図
【符号の説明】
【００６８】
１０１    キーボード（入力部）
１０２    ＬＣＤ（表示部）
１０３    タッチパネル（表示部、入力部）
１０４    マイク
１０５    スピーカ
１０６    音声コーデック部
１０７    留守メッセージ記憶部
１０８    呼制御部
１０９    ネットワーク接続部
１１０    データ送受信プロトコル処理部
１１１    モード記憶部
１１２    電話番号記憶部
１１３    音声記憶部
１１４    外出先電話番号記憶部
１１５    着信履歴記憶部
１１６    制御部
【図１】
2005260417.tif 000003
【図２】
2005260417.tif 000004
【図３】
2005260417.tif 000005
【図４】
2005260417.tif 000006
【図５】
2005260417.tif 000007
【図６】
2005260417.tif 000008
【図７】
2005260417.tif 000009
【図８】
2005260417.tif 000010
【図９】
2005260417.tif 000011
【図１０】
2005260417.tif 000012
【図１１】
2005260417.tif 000013
【図１２】
2005260417.tif 000014
【図１３】
2005260417.tif 000015